(57)【特許請求の範囲】
【請求項１】
衣類の一方の面を覆う背面シート（２）、衣類の他方の面の右側を覆う第１正面シート（３）、及び衣類の他方の面の左側を覆う第２正面シート（４）を有し、被保護物としての衣類が内部に収容される袋体状の防虫カバーであって、
前記背面シート（２）は、上端部中央の首部（２ｆ）と、この首部（２ｆ）の両側にそれぞれ連続する右上縁部（２ａ）及び左上縁部（２ｅ）と、前記首部（２ｆ）、右上縁部（２ａ）及び左上縁部（２ｅ）からそれぞれ下方へ延びる右側縁部（２ｂ）及び左側縁部（２ｄ）と、この右側縁部（２ｂ）及び左側縁部（２ｄ）の双方に連続する下縁部（２ｃ）とを有し、
上記第１正面シート（３）は、前記背面シート（２）の首部（２ｆ）、右上縁部（２ａ）、右側縁部（２ｂ）及び下縁部（２ｃ）にそれぞれ重ね合わせた首部（３ｅ）、右上縁部（３ａ）、右側縁部（３ｂ）及び下縁部（３ｃ）と、前記首部（３ｅ）から下方に延びて前記下縁部（３ｃ）に至る左側縁部（３ｄ）とを有し、
上記第２正面シート（４）は、前記背面シート（２）の首部（２ｆ）、左上縁部（２ｅ）及び下縁部（２ｃ）にそれぞれ重ね合わせた首部（４ｅ）、左上縁部（４ａ）、左側縁部（４ｂ）及び下縁部（４ｃ）と、前記首部（４ｅ）から下方に延びて前記下縁部（４ｃ）に至る右側縁部（４ｄ）とを有し、
前記背面シート（２）の右上縁部（２ａ）、右側縁部（２ｂ）及び下縁部（２ｃ）のそれぞれの縁（２ａ１，２ｂ１，２ｃ１）に、前記第１正面シート（３）の右上縁部（３ａ）、右側縁部（３ｂ）及び少なくとも右側縁部（３ｂ）側の下縁部（３ｃ）のそれぞれの縁（３ａ１，３ｂ１，３ｃ１）をそれぞれ接着し、かつ前記背面シート（２）の左上縁部（２ｅ）、左側縁部（２ｄ）及び下縁部（２ｃ）のそれぞれの縁（２ｅ１，２ｄ１，２ｃ１）に、前記第２正面シート（４）の左上縁部（４ａ）、左側縁部（４ｂ）及び少なくとも左側縁部（４ｂ）側の下縁部（４ｃ）のそれぞれの縁（４ａ１，４ｂ１，４ｃ１）をそれぞれ接着するとともに、
前記背面シート（２）上で、前記第１正面シート（３）の首部（３ｅ）及び左側縁部（３ｄ）と、前記第２正面シート（４）の首部（４ｅ）及び右側縁部（４ｄ）とをそれぞれ互いに開閉可能に重ねたことを特徴とする防虫カバー。
【請求項２】
前記第１正面シート（３）及び第２正面シート（４）が、同じ形状寸法を有する同一のシート材により構成されたことを特徴とする請求項１記載の防虫カバー。
【発明の詳細な説明】
【０００１】
【発明の属する技術分野】
本発明は、スーツ等の衣類を覆って害虫による衣類の虫食いを防止するための防虫カバーに関する。
【０００２】
【従来の技術】
図３は従来の防虫カバーを示す平面図であり、図４（ａ）、（ｂ）、及び（ｃ）は、ぞれぞれ図３に示した背面シート、左側の正面シート、及び右側の正面シートを示す平面図である。図３及び４において、従来の防虫カバー３０は、背面シート３１及び互いに部分的に重なり合った左右の透明な正面シート３２、３３を備えたものであり、衣類（図示せず）を吊したハンガー５０のフック部５０ａが挿通される穴部３０ａを除き、図３にハッチにて示した溶着部３４によって当該防虫カバー３０の周縁部が封止された袋体状に形成されている。
【０００３】
具体的にいえば、この防虫カバー３０は、その背面シート３１の右側の肩状部３１ａ、右側部３１ｂ、及び下縁部３１ｃに、右側の正面シート３３の肩状部３３ａ、右側部３３ｂ、及び下縁部３３ｃをそれぞれ縁を一致させた状態で重ね、背面シート３１の左側の肩状部３１ｅ、左側部３１ｄ、下縁部３１ｃに、左側の正面シート３２の左側の肩状部３２ｅ、左側部３２ｄ、及び下縁部３２ｃをそれぞれ縁を一致させた状態で重ねる。さらに、右側の正面シート３３の左側部３３ｄと左側の正面シート３２の右側部３２ｂとが互いに重なり合うよう、右側の正面シート３３の肩状部３３ａ及び下縁部３３ｃの一部分に、左側の正面シート３２の左側の肩状部３２ｅ及び下縁部３２ｃをそれぞれ縁を一致させた状態で重ねて、対応する縁を溶着することにより、上記溶着部３４を形成して当該防虫カバー３０の周縁部を封止していた。この防虫カバー３０の内部には、蒸散性ピレスロイドなどの防虫剤が封入されて害虫による衣類の虫食いを防止するように構成されていた。
【０００４】
【発明が解決しようとする課題】
上記従来の防虫カバー３０は、図３の２点鎖線で示すように、右側の正面シート３２の右側部３２ｂと左側の正面シート３３の左側部３３ｄとの間を開いて衣類を出し入れするよう構成されており、しかもそれら右側部３２ｂと左側部３３ｄとの上側及び下側部分である、上記の肩状部３１ａ、３２ａ、３３ａ及び下縁部３１ｃ、３２ｃ、３３ｃは上記溶着部３４の一部分として互いに溶着されていた。このため、防虫カバー３０の内部に衣類を出し入れするのが難しいという問題があった。また、衣類を出し入れするときに、上記溶着部３４のうち肩状部３２ａと右側部３２ｂとの交差した部分Ａが剥離したり、正面シート３２、３３が破れたりすることがあった。
【０００５】
上記のような従来の問題点に鑑み、本発明は、衣類を容易に出し入れすることができるとともに、当該防虫カバーに損傷が生じるのを抑えることができる防虫カバーを提供することを目的とする。
【０００６】
【課題を解決するための手段】
本発明の防虫カバーは、衣類の一方の面を覆う背面シート（２）、衣類の他方の面の右側を覆う第１正面シート（３）、及び衣類の他方の面の左側を覆う第２正面シート（４）を有し、被保護物としての衣類が内部に収容される袋体状の防虫カバーであって、
前記背面シート（２）は、上端部中央の首部（２ｆ）と、この首部（２ｆ）の両側にそれぞれ連続する右上縁部（２ａ）及び左上縁部（２ｅ）と、前記首部（２ｆ）、右上縁部（２ａ）及び左上縁部（２ｅ）からそれぞれ下方へ延びる右側縁部（２ｂ）及び左側縁部（２ｄ）と、この右側縁部（２ｂ）及び左側縁部（２ｄ）の双方に連続する下縁部（２ｃ）とを有し、
上記第１正面シート（３）は、前記背面シート（２）の首部（２ｆ）、右上縁部（２ａ）、右側縁部（２ｂ）及び下縁部（２ｃ）にそれぞれ重ね合わせた首部（３ｅ）、右上縁部（３ａ）、右側縁部（３ｂ）及び下縁部（３ｃ）と、前記首部（３ｅ）から下方に延びて前記下縁部（３ｃ）に至る左側縁部（３ｄ）とを有し、
上記第２正面シート（４）は、前記背面シート（２）の首部（２ｆ）、左上縁部（２ｅ）及び下縁部（２ｃ）にそれぞれ重ね合わせた首部（４ｅ）、左上縁部（４ａ）、左側縁部（４ｂ）及び下縁部（４ｃ）と、前記首部（４ｅ）から下方に延びて前記下縁部（４ｃ）に至る右側縁部（４ｄ）とを有し、
前記背面シート（２）の右上縁部（２ａ）、右側縁部（２ｂ）及び下縁部（２ｃ）のそれぞれの縁（２ａ１，２ｂ１，２ｃ１）に、前記第１正面シート（３）の右上縁部（３ａ）、右側縁部（３ｂ）及び少なくとも右側縁部（３ｂ）側の下縁部（３ｃ）のそれぞれの縁（３ａ１，３ｂ１，３ｃ１）をそれぞれ接着し、かつ前記背面シート（２）の左上縁部（２ｅ）、左側縁部（２ｄ）及び下縁部（２ｃ）のそれぞれの縁（２ｅ１，２ｄ１，２ｃ１）に、前記第２正面シート（４）の左上縁部（４ａ）、左側縁部（４ｂ）及び少なくとも左側縁部（４ｂ）側の下縁部（４ｃ）のそれぞれの縁（４ａ１，４ｂ１，４ｃ１）をそれぞれ接着するとともに、
前記背面シート（２）上で、前記第１正面シート（３）の首部（３ｅ）及び左側縁部（３ｄ）と、前記第２正面シート（４）の首部（４ｅ）及び右側縁部（４ｄ）とをそれぞれ互いに開閉可能に重ねたことを特徴とするものである（請求項１）。
【０００７】
上記のように構成された防虫カバーによれば、上記第１正面シート（３）の首部（３ｅ）及び左側縁部（３ｄ）と第２正面シート（４）の首部（４ｅ）及び右側縁部（４ｄ）とを広く開くことができるので、当該防虫カバーの内部に衣類を容易に出し入れすることができ、当該防虫カバーに損傷が生じるのを抑えることができる。
【０００８】
また、上記防虫カバー（請求項１）において、前記第１正面シート（３）及び第２正面シート（４）が、同じ形状寸法を有する同一のシート材により構成されてもよい（請求項２）。
この場合、上記第１正面シート（３）及び第２正面シート（４）が同一のシート材により構成されるので、当該防虫カバーのコストダウンを行うことができる。
【０００９】
【発明の実施の形態】
以下、本発明の防虫カバーの好ましい実施形態について、図面を参照しながら説明する。
図１は本発明の一実施形態による防虫カバーを示す平面図であり、図２（ａ）、（ｂ）、及び（ｃ）は、ぞれぞれ図１に示した背面シート、第２正面シート、及び第１正面シートを示す平面図である。
図１及び２において、本実施形態の防虫カバー１は、それぞれ所定形状を有する背面シート２、右側の第１正面シート３、及び左側の第２正面シート４を備えたものであり、図１にハッチにて示す溶着部５によって封止された袋体状に構成されている。この防虫カバー１は、例えばハンガー５０に吊した状態のスーツ等の衣類（図示せず）を収容できるよう構成されたものであり、蒸散性ピレスロイドなどの防虫剤が内部に封入されることにより、害虫による衣類の虫食いを防止できるようになっている。
【００１０】
上記背面シート２は、図２（ａ）に示すように、スーツ等の衣類の形状に対応した形状を有するものであり、例えば不織布により構成されている。詳細には、背面シート２には、肩部の形状に応じた曲線状の縁２ａ１を有する右上縁部２ａ、この縁２ａ１に連続する直線状の縁２ｂ１を有する右側縁部２ｂ、上記縁２ｂ１に連続する直線状の下端縁２ｃ１を有する下縁部２ｃ、この縁２ｃ１に連続する直線状の縁２ｄ１を有する左側縁部２ｄ、この縁２ｄ１と連続し、肩部の形状に応じた曲線状の縁２ｅ１を有する左上縁部２ｅ、及び曲線状の縁２ａ１と縁２ｅ１とに連続する直線状の縁２ｆ１を有する首部２ｆが設けられている。
【００１１】
上記第１、第２正面シート３、４は、例えば塩化ビニール等の透明なシート材により構成されたものであり、同じ形状寸法のものが用いられている。また、これらの第１、第２正面シート３、４は、上記背面シート２に対応した形状、かつ図１にＷにて示す所定寸法の部分が互いに重なり合うように形成されている。
詳細にいえば、第１正面シート３には、上記背面シート２の曲線状の縁２ａ１と同じ形状寸法に形成された曲線状の縁３ａ１を有する右上縁部３ａ、背面シート２の直線状の縁２ｂ１と同じ形状寸法に形成された直線状の縁３ｂ１を有する右側縁部３ｂ、上記直線状の縁３ｂ１に連続する直線状の下端縁３ｃ１を有する下縁部３ｃ、下端縁３ｃ１に連続する直線状の縁３ｄ１を有する左側縁部３ｄ、及び背面シート２の首部２ｆの縁２ｆ１と同じ形状寸法に形成され、曲線状の縁３ａ１と直線状の縁３ｄ１とに連続する直線状の縁３ｅ１を有する首部３ｅが設けられている。
【００１２】
同様に、第２正面シート４には、上記背面シート２の曲線状の縁２ｅ１と同じ形状寸法に形成された曲線状の縁４ａ１を有する左上縁部４ａ、背面シート２の直線状の縁２ｄ１と同じ形状寸法に形成された直線状の縁４ｂ１を有する左側縁部４ｂ、上記直線状の縁４ｂ１に連続する直線状の下端縁４ｃ１を有する下縁部４ｃ、下端縁４ｃ１に連続する直線状の縁４ｄ１を有する右側縁部４ｄ、及び背面シート２の首部２ｆの縁２ｆ１と同じ形状寸法に形成され、曲線状の縁４ａ１と直線状の縁４ｄ１とに連続する直線状の縁４ｅ１を有する首部４ｅが設けられている。
【００１３】
また、第１、第２正面シート３、４は、上記の左側縁部３ｄ及び首部３ｅと上記の右側縁部４ｄ及び首部４ｅとが背面シート２の上でそれぞれ互いに開閉可能となるように、第１、第２正面シート３、４の順番で背面シート２に接着されている。具体的には、第１正面シート３の曲線状の縁３ａ１、直線状の縁３ｂ１、及び下端縁３ｃ１を背面シート２の曲線状の縁２ａ１、直線状の縁２ｂ１、及び下端縁２ｃ１にそれぞれ一致させた状態で、背面シート２の上に第１正面シート３を重ね、さらにその上に、第２正面シート４の曲線状の縁４ａ１、直線状の縁４ｂ１、及び下端縁４ｃ１を背面シート２の曲線状の縁２ｅ１、直線状の縁２ｄ１、及び下端縁２ｃ１にそれぞれ一致させた状態で第２正面シート４を重ねて、例えばホットプレスにより熱融着することにより、上記の溶着部５が形成されて第１、第２正面シート３、４が背面シート２に接着される。
【００１４】
尚、上記Ｗにて示した所定寸法は、衣類を防虫カバー１に収容したときに、その衣類等により当該防虫カバー１が膨らんで第１、第２正面シート３、４の首部３ｅ、４ｅが背面シート２の首部２ｆから離れる方向に移動したときでも、それらの各シート２〜４で上記衣類を覆うことができるよう決定されたものである。また、図１に示すように、各シート２〜４の首部２ｆ、３ｅ、４ｅに囲まれた部分により、ハンガー５０のフック部５０ａを挿通可能な穴部が形成されている。
【００１５】
上記のように構成された本実施形態の防虫カバー１では、第１正面シート３の左側縁部３ｄ及び首部３ｅと第２正面シート４の右側縁部４ｄ及び首部４ｅとを、背面シート２の上でそれぞれ互いに開閉可能に重ねており、図１の２点鎖線で示すように、衣類を出し入れするときに上記の左側縁部３ｄ及び首部３ｅと右側縁部４ｄ及び首部４ｅとを広く開くことができるので、当該防虫カバー１の内部に衣類を容易に出し入れすることができる。さらに、衣類を出し入れするときに、上記溶着部５のうち下端縁４ｃ１と縁４ｄ１との交差した部分Ｘなどが剥離したり、第１、第２正面シート３、４が破れたりするのを防ぐことができ、当該防虫カバー１に損傷が生じるのを抑えることができる。
【００１６】
また、本実施形態では、第１、第２正面シート３、４を同じ形状寸法を有する同一のシート材により構成したので、それらの第１、第２正面シート３、４の製造コストを低減することができ、当該防虫カバー１のコストダウンを行うことができる。
【００１７】
尚、上記の説明では、背面シート２に第１、第２正面シート３、４を順次重ねた構成について説明したが、本発明は第１正面シート３の左側縁部３ｄ及び首部３ｅと第２正面シート４の右側縁部４ｄ及び首部４ｅとをそれぞれ互いに開閉可能に重ねたものであればよく、背面シート２に第２、第１正面シート４、３を順次重ねた構成でもよい。
また、上記の説明では、背面シート２の下縁部２ｃの下端縁２ｃ１に第１、第２正面シート３、４の下縁部３ｃ、４ｃの下端縁３ｃ１、４ｃ１を重ねて溶着した構成について説明したが、上記の下縁部２ｃ、３ｃ、４ｃでの密閉性を確保できるものであれば本発明はこれに限定されるものではない。例えば図１にＷにて示した寸法を除いて、上記の下端縁３ｃ１、４ｃ１を背面シート２の下端縁２ｃ１に接着したものでもよい。このように構成した場合は、背面シート２に対して第１、第２正面シート４、３をより開閉しやすくすることができ、衣類の出し入れをさらに容易にすることができる。
【００１８】
【発明の効果】
以上のように構成された本発明は以下の効果を奏する。
請求項１の防虫カバーによれば、上記第１正面シートの首部及び左側縁部と、第２正面シートの首部及び右側縁部とを、背面シートに対して開閉することができるので、当該防虫カバーの内部に衣類を容易に出し入れすることができるとともに、当該防虫カバーに損傷が生じるのを抑えることができる。
【００１９】
また、請求項２の防虫カバーによれば、上記第１及び第２正面シートが同一のシート材により構成されるので、当該防虫カバーのコストダウンを行うことができる。
【図面の簡単な説明】
【図１】本発明の一実施形態による防虫カバーを示す平面図である。
【図２】（ａ）、（ｂ）、及び（ｃ）は、ぞれぞれ図１に示した背面シート、第２正面シート、及び第１正面シートを示す平面図である。
【図３】従来の防虫カバーを示す平面図である。
【図４】（ａ）、（ｂ）、及び（ｃ）は、ぞれぞれ図３に示した背面シート、左側の正面シート、及び右側の正面シートを示す平面図である。
【符号の説明】
１      防虫カバー
２      背面シート
２ａ    右上縁部
２ｂ    右側縁部
２ｃ    下縁部
２ｄ    左側縁部
２ｅ    左上縁部
２ｆ    首部
３      第１正面シート
３ａ    右上縁部
３ｂ    右側縁部
３ｃ    下縁部
３ｄ    左側縁部
３ｅ    首部
４      第２正面シート
４ａ    左上縁部
４ｂ    左側縁部
４ｃ    下縁部
４ｄ    右側縁部
４ｅ    首部
【図１】
0004846921.tif 000002
【図２】
0004846921.tif 000003
【図３】
0004846921.tif 000004
【図４】
0004846921.tif 000005